【手続補正書】
【提出日】平成30年6月18日(2018.6.18)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第1のデバイスによって、ワイヤレスチャネル上の干渉を測定するステップと、
前記測定した干渉に基づいて、前記ワイヤレスチャネルの干渉デバイスを特定するステップと、
前記ワイヤレスチャネル上の前記測定した干渉に基づいて、少なくとも1つのチャネルサイド情報フィードバックメッセージを生成するステップであって、前記少なくとも1つのチャネルサイド情報フィードバックメッセージが、前記ワイヤレスチャネルの前記干渉デバイスと、前記干渉デバイスからの前記測定した干渉と時間または周波数との相関とを示す、ステップと、
前記少なくとも1つのチャネルサイド情報フィードバックメッセージを第2のデバイスに送信するステップとを備える、方法。
【請求項２】
前記ワイヤレスチャネルの前記干渉デバイスを特定するステップが、
前記干渉デバイスからの前記測定した干渉の強度が閾値を満たすと決定するステップを備える、または、
前記方法は、
前記少なくとも1つのチャネルサイド情報フィードバックメッセージが、前記干渉デバイスの識別情報を備える、請求項1に記載の方法。
【請求項３】
前記干渉デバイスからの前記測定した干渉の周期性を時間または周波数の単位で推定するステップをさらに備え、前記測定した干渉の前記相関が前記推定された周期性を備える、または、
前記方法は、
前記干渉デバイスからの前記測定した干渉と関連付けられるバースト期間を決定するステップをさらに備え、前記少なくとも1つのチャネルサイド情報フィードバックメッセージが前記バースト期間を備える、請求項1に記載の方法。
【請求項４】
干渉打消し動作または接合検出動作の少なくとも1つが実行されるとき、前記ワイヤレスチャネル上のデータレートに対する影響を予測するステップをさらに備え、
前記少なくとも1つのチャネルサイド情報フィードバックメッセージがさらに、前記干渉デバイスからの残余の干渉と時間または周波数との相関を示し、または、
前記方法は、
前記測定した干渉に基づいて、前記ワイヤレスチャネルの少なくとも1つの追加の干渉デバイスを特定するステップをさらに備え、
前記少なくとも1つのチャネルサイド情報フィードバックメッセージが、前記ワイヤレスチャネルの前記少なくとも1つの追加の干渉デバイスと、前記少なくとも1つの追加の干渉デバイスからの前記測定した干渉と時間または周波数との相関とを示し、
前記少なくとも1つのチャネルサイド情報フィードバックメッセージが、前記干渉デバイスからの前記測定した干渉と、前記少なくとも1つの追加の干渉デバイスからの前記測定した干渉との間の相関を示す、請求項1に記載の方法。
【請求項５】
ワイヤレス通信のためのデバイスであって、
ワイヤレスチャネル上の干渉を測定するための手段と、
前記測定した干渉に基づいて、前記ワイヤレスチャネルの干渉デバイスを特定するための手段と、
前記ワイヤレスチャネル上の前記測定した干渉に基づいて、少なくとも1つのチャネルサイド情報フィードバックメッセージを生成するための手段であって、前記少なくとも1つのチャネルサイド情報フィードバックメッセージが、前記ワイヤレスチャネルの前記干渉デバイスと、前記干渉デバイスからの前記測定した干渉と時間または周波数との相関とを示す、手段と、
前記少なくとも1つのチャネルサイド情報フィードバックメッセージを別のデバイスに送信するための手段とを備える、デバイス。
【請求項６】
前記ワイヤレスチャネルの前記干渉デバイスを特定するための前記手段が、
前記干渉デバイスからの前記測定した干渉の強度が閾値を満たすと決定するための手段を備える、または、
前記デバイスは、
前記少なくとも1つのチャネルサイド情報フィードバックメッセージが、前記干渉デバイスの識別情報を備える、請求項5に記載のデバイス。
【請求項７】
前記干渉デバイスからの前記測定した干渉の周期性を時間または周波数の単位で推定するための手段をさらに備え、前記少なくとも1つのチャネルサイド情報フィードバックメッセージが前記推定された周期性を備える、または、
前記デバイスは、
前記干渉デバイスからの前記測定した干渉と関連付けられるバースト期間を決定するための手段をさらに備え、前記測定した干渉の前記相関が前記バースト期間を備える、請求項5に記載のデバイス。
【請求項８】
干渉打消し動作または接合検出動作の少なくとも1つが実行されるとき、前記ワイヤレスチャネル上のデータレートに対する影響を予測するための手段をさらに備え、
前記少なくとも1つのチャネルサイド情報フィードバックメッセージがさらに、前記干渉デバイスからの残余の干渉と時間または周波数との相関を示し、または、
前記デバイスは、
前記測定した干渉に基づいて、前記ワイヤレスチャネルの少なくとも1つの追加の干渉デバイスを特定するための手段をさらに備え、
前記少なくとも1つのチャネルサイド情報フィードバックメッセージが、前記ワイヤレスチャネルの前記少なくとも1つの追加の干渉デバイスと、前記少なくとも1つの追加の干渉デバイスからの前記測定した干渉と時間または周波数との相関とを示し、
前記少なくとも1つのチャネルサイド情報フィードバックメッセージが、前記干渉デバイスからの前記測定した干渉と、前記少なくとも1つの追加の干渉デバイスからの前記測定した干渉との間の相関を示す、請求項5に記載のデバイス。
【請求項９】
ワイヤレス通信の方法であって、
ワイヤレスチャネルを通じてワイヤレス信号をデバイスに送信するステップと、
前記デバイスから少なくとも1つのチャネルサイド情報フィードバックメッセージを受信するステップとを備え、前記少なくとも1つのチャネルサイド情報フィードバックメッセージが、前記ワイヤレスチャネルの干渉デバイスと、前記干渉デバイスからの干渉と時間または周波数との相関とを示す、方法。
【請求項１０】
干渉デバイスからの干渉の前記相関が報告されるべき対象の前記ワイヤレスチャネルを示すものを前記デバイスに送信するステップをさらに備える、請求項9に記載の方法。
【請求項１１】
前記少なくとも1つのチャネルサイド情報フィードバックメッセージが、前記干渉デバイスの識別情報を備える、または、
前記少なくとも1つのチャネルサイド情報フィードバックメッセージが、時間または周波数の単位での前記干渉デバイスからの前記干渉の周期性を備える、または、
前記測定した干渉の前記相関が、前記干渉デバイスからの前記干渉のバースト期間を備える、または、
前記測定した干渉の前記相関が、前記干渉デバイスの残余の干渉と時間および/または周波数との相関を備える、または、
前記少なくとも1つのチャネルサイド情報フィードバックメッセージが、前記ワイヤレスチャネルの少なくとも1つの追加の干渉デバイスと、前記少なくとも1つの追加の干渉デバイスからの前記測定した干渉と時間または周波数との相関とを示す、または、
前記少なくとも1つのチャネルサイド情報フィードバックメッセージが、前記干渉デバイスからの前記測定した干渉と、前記少なくとも1つの追加の干渉デバイスからの前記測定した干渉との間の相関を示す、請求項9に記載の方法。
【請求項１２】
ワイヤレス通信のためのデバイスであって、
ワイヤレスチャネルを通じてワイヤレス信号を別のデバイスに送信するための手段と、
前記別のデバイスから少なくとも1つのチャネルサイド情報フィードバックメッセージを受信するための手段とを備え、前記少なくとも1つのチャネルサイド情報フィードバックメッセージが、前記ワイヤレスチャネルの干渉デバイスと、前記干渉デバイスからの干渉と時間または周波数との相関とを示す、デバイス。
【請求項１３】
干渉デバイスからの干渉の前記相関が報告されるべき対象の前記ワイヤレスチャネルを示すものを前記別のデバイスに送信するための手段をさらに備える、請求項12に記載のデバイス。
【請求項１４】
前記少なくとも1つのチャネルサイド情報フィードバックメッセージが、前記干渉デバイスの識別情報を備える、または、
前記少なくとも1つのチャネルサイド情報フィードバックメッセージが、時間または周波数の単位での前記干渉デバイスからの前記干渉の周期性を備える、または、
前記測定した干渉の前記相関が、前記干渉デバイスからの前記干渉のバースト期間を備える、または、
前記測定した干渉の前記相関が、前記干渉デバイスの残余の干渉と時間および/または周波数との相関を備える、または、
前記少なくとも1つのチャネルサイド情報フィードバックメッセージが、前記ワイヤレスチャネルの少なくとも1つの追加の干渉デバイスと、前記少なくとも1つの追加の干渉デバイスからの前記測定した干渉と時間または周波数との相関とを示す、または、
前記少なくとも1つのチャネルサイド情報フィードバックメッセージが、前記干渉デバイスからの前記測定した干渉と、前記少なくとも1つの追加の干渉デバイスからの前記測定した干渉との間の相関を示す、請求項12に記載のデバイス。
【請求項１５】
請求項1から4または9から11のいずれか一項に記載の方法を実行するための命令を含む、コンピュータプログラム。